(57)【要約】【課題】モバイル端末に表示された情報を簡便かつ適切にプリントする。【解決手段】画像形成装置１が、インターネットに接続してウェブ情報を取得可能であるモバイル端末４０のディスプレイが載置される読取り面と、読取り面に載置されたディスプレイをスキャンして画像データに変換するスキャナー部と、スキャナー部が取得した画像データに基づいて、記録媒体に対する画像形成を実行する画像形成部と、画像形成部の画像形成を制御する制御装置と、を備える。制御装置は、インターネット上のウェブ情報をプリントすべき旨を示すコマンド情報が画像データに含まれる場合、画像データの変換元であるウェブ情報を用いて画像形成を実行するように画像形成部を制御する。【選択図】図６
2019212973.tif 000002
【特許請求の範囲】
【請求項１】
インターネットに接続してウェブ情報を取得可能であるモバイル端末のディスプレイが載置される読取り面と、
前記読取り面に載置された前記ディスプレイをスキャンして画像データに変換するスキャナー部と、
前記スキャナー部が取得した前記画像データに基づいて、記録媒体に対する画像形成を実行する画像形成部と、
前記画像形成部の画像形成を制御する制御装置と、を備える画像形成装置であって、
前記制御装置は、
前記インターネット上の前記ウェブ情報をプリントすべき旨を示すコマンド情報が前記画像データに含まれる場合、前記画像データの変換元である前記ウェブ情報を用いて画像形成を実行するように前記画像形成部を制御する、ことを特徴とする画像形成装置。
【請求項２】
前記ウェブ情報に対応した前記コマンド情報は、
前記ウェブ情報を表示した前記ディスプレイに２次元コードとして表示されており、
前記ウェブ情報の前記インターネット上の所在を一意に示す所在情報と、前記ウェブ情報を前記インターネットから取得してプリントすることを指示する指示フラグとを含む、ことを特徴とする請求項１に記載の画像形成装置。
【請求項３】
前記制御装置は、
前記画像データに前記２次元コードが含まれることを検知すると、前記２次元コードを解析して前記コマンド情報を取得し、
前記コマンド情報に前記指示フラグが含まれることを検知すると、前記インターネットを介して前記ウェブ情報を取得し、取得した前記ウェブ情報を用いて画像形成を実行するように前記画像形成部を制御する一方、前記コマンド情報に前記指示フラグが含まれないことを検知すると、前記画像データ自体を用いて画像形成を実行するように前記画像形成部を制御する、ことを特徴とする請求項２に記載の画像形成装置。
【請求項４】
前記スキャナー部における読取り対象のスキャンに用いる光源と、
前記読取り対象から光が放射されているか否かを検出する光センサーと、を備え、
前記制御装置は、
前記光センサーが光の放射を検出していない場合は、前記光源を稼働させて前記スキャナー部がスキャンを実行するように制御し、前記光センサーが光の放射を検出している場合は、前記光源を稼働させずに前記スキャナー部がスキャンを実行するように制御する、ことを特徴とする請求項１から請求項３のいずれかに記載の画像形成装置。
【請求項５】
インターネットに接続してウェブ情報を取得可能であるモバイル端末のディスプレイをスキャンして画像データに変換するスキャナー部と、
前記スキャナー部が取得した前記画像データに基づいて、記録媒体に対する画像形成を実行する画像形成部と、を備えた画像形成装置の制御に用いる画像形成プログラムであって、
前記インターネット上の前記ウェブ情報をプリントすべき旨を示すコマンド情報が前記画像データに含まれる場合、前記画像データの変換元である前記ウェブ情報を用いて前記画像形成部が画像形成を実行するように、前記画像形成装置が備えたコンピューターを機能させる、ことを特徴とする画像形成プログラム。
【発明の詳細な説明】
【技術分野】
【０００１】
本発明は、モバイル端末に表示されている情報を適切にプリント可能な画像形成装置および画像形成プログラムに関する。
【背景技術】
【０００２】
近年、スマートフォンやタブレット端末等の無線通信可能なモバイル端末の普及に伴って、インターネットを介した情報の提供が急激に発展している。一般的に、インターネット上の情報は、モバイル端末等のディスプレイに表示されてユーザーに提供される。
【０００３】
一方で、ユーザーの用途や嗜好によっては、ディスプレイに表示されている情報を紙媒体等にプリントして使用することが好適である場合もある。モバイル端末のユーザーは、例えば、無線通信等を用いて、複合機（Multifunction Peripheral，ＭＦＰ）等の画像形成装置に対してデータを送信しプリントすることが可能である。
【０００４】
例えば、特許文献１には、モバイル端末である携帯電話が受信したデータを、パーソナルコンピューターやモバイルコンピューター等の周辺機器を介さずに、直接的に画像形成装置に送信することによってプリントする技術が開示されている。
【０００５】
また、ユーザーが、スマートフォンにインストールされたアプリケーションを用いて、インターネット上の情報を画像データに変換し、画像形成装置に送信してプリントさせる技術も活用されている。
【先行技術文献】
【特許文献】
【０００６】
【特許文献１】特開２００３−２４１９１１号公報
【発明の概要】
【発明が解決しようとする課題】
【０００７】
しかしながら、モバイル端末に表示された情報をプリント用のデータに変換して画像形成装置に送信するには、種々の端末操作が必要である。例えば、モバイル端末側で、データ変換アプリケーション等を起動して、電子メールや画像等のデータをＪＰＥＧ等の汎用ファイルに変換する必要がある。
【０００８】
また、モバイル端末側にて、変換したファイルを無線通信網やＬＡＮ（Local Area Network）等の通信ネットワークを介して画像形成装置に送信するという操作が必要となる。この場合、モバイル端末側においては、画像形成装置と通信するためのネットワーク設定や、モバイル端末と画像形成装置とを連携させるためのネットワーク設定等も必要となる。
【０００９】
以上のような電子メールや画像等のデータをＪＰＥＧ等の汎用ファイルに変換する操作や、ネットワーク設定の操作は、モバイル端末の操作に慣れたユーザーにとっては問題ない。他方、モバイル端末の操作に不慣れなユーザーにとっては、これらの操作が煩雑であったり、困難であったりする場合が考えられる。
【００１０】
また、モバイル端末に表示される画面は、パーソナルコンピューター等の画面と比較して小さい上、プリント用に最適化されているとは限らない。したがって、モバイル端末に表示された画面情報をそのままプリントすることが好適であるとは、必ずしも言えない。
【００１１】
以上の事情を考慮して、本発明は、モバイル端末に表示された情報を簡便かつ適切にプリントすることを目的とする。
【課題を解決するための手段】
【００１２】
本発明の画像形成装置は、インターネットに接続してウェブ情報を取得可能であるモバイル端末のディスプレイが載置される読取り面と、前記読取り面に載置された前記ディスプレイをスキャンして画像データに変換するスキャナー部と、前記スキャナー部が取得した前記画像データに基づいて、記録媒体に対する画像形成を実行する画像形成部と、前記画像形成部の画像形成を制御する制御装置と、を備える画像形成装置であって、前記制御装置は、前記インターネット上の前記ウェブ情報をプリントすべき旨を示すコマンド情報が前記画像データに含まれる場合、前記画像データの変換元である前記ウェブ情報を用いて画像形成を実行するように前記画像形成部を制御する、ことを特徴とする。
【００１３】
好適には、上記した画像形成装置において、前記ウェブ情報に対応した前記コマンド情報は、前記ウェブ情報を表示した前記ディスプレイに２次元コードとして表示されており、前記ウェブ情報の前記インターネット上の所在を一意に示す所在情報と、前記ウェブ情報を前記インターネットから取得してプリントすることを指示する指示フラグとを含む。
【００１４】
好適には、前記制御装置は、前記画像データに前記２次元コードが含まれることを検知すると、前記２次元コードを解析して前記コマンド情報を取得し、前記コマンド情報に前記指示フラグが含まれることを検知すると、前記インターネットを介して前記ウェブ情報を取得し、取得した前記ウェブ情報を用いて画像形成を実行するように前記画像形成部を制御する一方、前記コマンド情報に前記指示フラグが含まれないことを検知すると、前記画像データ自体を用いて画像形成を実行するように前記画像形成部を制御する。
【００１５】
好適には、上記した画像形成装置が、前記スキャナー部における読取り対象のスキャンに用いる光源と、前記読取り対象から光が放射されているか否かを検出する光センサーと、を備る。また、前記制御装置は、前記光センサーが光の放射を検出していない場合は、前記光源を稼働させて前記スキャナー部がスキャンを実行するように制御し、前記光センサーが光の放射を検出している場合は、前記光源を稼働させずに前記スキャナー部がスキャンを実行するように制御する。
【００１６】
また、本発明の画像形成プログラムは、インターネットに接続してウェブ情報を取得可能であるモバイル端末のディスプレイをスキャンして画像データに変換するスキャナー部と、前記スキャナー部が取得した前記画像データに基づいて、記録媒体に対する画像形成を実行する画像形成部と、を備えた画像形成装置の制御に用いる画像形成プログラムであって、前記インターネット上の前記ウェブ情報をプリントすべき旨を示すコマンド情報が前記画像データに含まれる場合、前記画像データの変換元である前記ウェブ情報を用いて前記画像形成部が画像形成を実行するように、前記画像形成装置が備えたコンピューターを機能させる、ことを特徴とする。
【００１７】
なお、本発明は、上記した画像形成プログラムを記録したコンピューター読取り可能な非一過性の記録媒体（non-transitory computer readable medium）に係る発明としても特定され得る。
【発明の効果】
【００１８】
本発明によれば、簡易な構成で、モバイル端末に表示された情報をインターネットから取得した上で画像形成（プリント）が実行されるので、モバイル端末や複合機の操作に不慣れなユーザーにとっての利便性が向上する。
【図面の簡単な説明】
【００１９】
【図１】本発明の一実施形態に係る複合機を示す断面図である。
【図２】本発明の一実施形態に係る複合機におけるスキャン動作の説明図である。
【図３】本発明の一実施形態に係る複合機におけるスキャン動作の説明図である。
【図４】本発明の一実施形態に係る複合機の制御装置の電気的構造を示すブロック図である。
【図５】本発明の一実施形態に係るネットワーク構成図である。
【図６】本発明の一実施形態に係るプリント処理のシーケンス図である。
【図７】本発明の一実施形態に係る２次元コードを例示する図である。
【発明を実施するための形態】
【００２０】
以下、図面を参照しつつ、本発明の実施形態について説明する。本実施形態では、本発明に係る画像形成装置の構成を、プリント機能、コピー機能、ファックス機能、データ送受信機能等を複合的に備えた複合機１（Multifunction Peripheral，ＭＦＰ）に適用する場合について説明する。以下では、便宜上、図１の紙面手前側を、複合機１の正面側（前側）として説明する。
【００２１】
１．複合機（画像形成装置）の全体構成
図１に示されるように、複合機１は、略箱型形状の装置本体２を備える。装置本体２の下部には、複合機１の内側に用紙を収納する給紙部として給紙カセット３が着脱可能に収容される。装置本体２の右側部には、複合機１の外側に用紙を収納する（用紙が載置される）給紙部として手差しトレイ４が開閉可能に設けられる。装置本体２の上部の排紙空間には排紙トレイが設けられる。給紙カセット３、手差しトレイ４及び排紙トレイは、装置本体２内の後述の画像形成部１２で画像が形成される用紙を搬送するために用いられる。
【００２２】
装置本体２の上部には、原稿等の読取り対象を読み取って画像データ（入力画像データ）に変換する画像読取り装置５が設けられる。画像読取り装置５は、略箱型形状の読取り台５ａと、読取り台５ａの上面にプラテンガラスで構成される読取り面５ｂと、画像読取り装置５の下方にそれぞれ配置されたスキャナー部５ｃ、用紙センサー５ｄ、光センサー５ｅ、および光源５ｆと、を備える。
【００２３】
画像読取り装置５の上方には、画像読取り装置５へと原稿を供給する自動原稿搬送装置（Auto Document Feeder，ＡＤＦ）等を備えた原稿搬送部６が設けられる。また、原稿搬送部６は、画像読取り装置５のプラテンガラスを覆うカバー部材として、開閉可能に取り付けられる。
【００２４】
スキャナー部５ｃは、読取り面５ｂに載置された読取り対象をスキャンして、画像データに変換するように構成される。スキャナー部５ｃによる読取り対象は、原稿等の紙媒体に限定されず、例えば、スマートフォンやタブレット等のモバイル端末４０のディスプレイも含まれる。
【００２５】
用紙センサー５ｄは、読取り面５ｂに載置された読取り対象のサイズを検出する。光センサー５ｅは、読取り対象から光が放射されているか否かを検出する。光源５ｆは、スキャナー部５ｃにおける読取り対象のスキャンに用いられる。
【００２６】
更に、装置本体２の上部では、操作表示ユニット７（表示部）が正面側に取り付けられる。操作表示ユニット７は、例えば、テンキーやスタートキー、システムメニューキー、送信キー、コピーキー、確認キー等の操作キーと、タッチパネル等の表示器とを備えて、プリント枚数やプリント濃度等の設定についてユーザーからの設定入力を受け付ける。
【００２７】
装置本体２の中央部には、中間転写ベルト１０が複数のローラー間に架設される。中間転写ベルト１０の下方には、レーザー・スキャニング・ユニット（ＬＳＵ）からなる露光装置１１が設けられる。中間転写ベルト１０の下側面に沿って、４個の画像形成部１２がトナーの色（例えば、イエロー、シアン、マゼンタ、ブラックの４色）毎に設けられる。
【００２８】
各画像形成部１２は、回転可能な感光体ドラムを備え、更に、感光体ドラムの周囲には、帯電器と、現像器と、一次転写部と、クリーニング装置と、除電器とが、一次転写のプロセス順に配置される。中間転写ベルト１０の右端には、二次転写部１３が設けられ、二次転写部１３は、中間転写ベルト１０の右端側の一部と二次転写ローラーとで構成される。また、中間転写ベルト１０の左端には、中間転写ベルト１０を清掃するためのクリーニング装置が設けられる。各画像形成部１２は、スキャナー部５ｃが取得した画像データに基づいて、用紙等の記録媒体に対する画像形成を実行する要素である。
【００２９】
装置本体２の右部には、用紙の搬送経路１５が設けられる。搬送経路１５の上流部には、給紙ローラー等からなる給紙機構１６が給紙カセット３に対応して設けられる。搬送経路１５の中流部には、上記の二次転写部１３が設けられる。また、搬送経路１５は、給紙カセット３よりも下流側、かつ二次転写部１３よりも上流側で手差しトレイ４と連絡されている。手差しトレイ４の近傍には、給紙ローラー等からなる給紙機構１７が設けられる。搬送経路１５の下流部には、定着装置が設けられ、搬送経路１５の下流端には排紙口が設けられる。また、装置本体２は、複合機１の各部を制御する制御装置２０を備える。
【００３０】
２．画像形成動作の概略
次に、上記した複合機１の画像形成動作について説明する。複合機１に電源が投入されると、制御装置２０は、各種パラメーターの初期化等を実行する。複合機１では、画像読取り装置５や外部のコンピューター等から画像データが入力され、プリント開始の指示がなされると、制御装置２０による制御の下、以下のように画像形成動作が実行される。
【００３１】
まず、制御装置２０が、入力画像データおよび各種プリント設定に基づき、画像形成処理の対象となる出力画像データを作成する。そして、制御装置２０の制御の下、各画像形成部１２では、感光体ドラムが、帯電器によって帯電された後、露光装置１１によって出力画像データに基づいて露光されることで、感光体ドラム上に静電潜像が形成される。
【００３２】
感光体ドラム上の静電潜像は、現像器によって各色のトナー像に現像される。感光体ドラム上のトナー像は、一次転写部によって中間転写ベルト１０の表面に一次転写される。以上の動作を４つの画像形成部１２が順次繰り返すことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００３３】
他方、給紙カセット３または手差しトレイ４に収納された用紙は、給紙機構１６または給紙機構１７によって取り出されて搬送経路１５上を搬送される。そして、搬送経路１５上の用紙は、上記の所定の二次転写タイミングで二次転写部１３へと搬送される。二次転写部１３では、中間転写ベルト１０上のカラートナー像が用紙に二次転写される。カラートナー像を二次転写された用紙は、搬送経路１５を下流側へと搬送されて、定着装置によってカラートナー像が用紙に定着された後、排紙口から排紙トレイへと排出される。
【００３４】
３．スキャン動作
次に、上記した複合機１のスキャン動作について説明する。スキャナー部５ｃは、制御装置２０の制御の下、原稿搬送部６の自動原稿搬送装置から供給された読取り対象、または読取り面５ｂに直接的に載置された読取り対象をスキャンして画像データに変換する。
【００３５】
本実施形態において、以下のように、読取り対象から光が放射されているか否かに基づいて、スキャン動作の際の光源５ｆの稼働が制御されると好適である。図２は、光を放射しない読取り対象であるプリント済み原稿３０が読取り面５ｂに載置されている様子を示す図である。図３は、光を放射している読取り対象であるモバイル端末４０のディスプレイが読取り面５ｂに載置されている様子を示す図である。なお、モバイル端末４０は、インターネットＩＮに接続してサーバー上のウェブ情報を取得可能な無線通信装置である。
【００３６】
まず、図２のケースを説明する。読取り対象であるプリント済み原稿３０は光を放射しないから、光センサー５ｅは光の放射を検出しないことを示す信号を制御装置２０へ出力する。そうすると、制御装置２０は、光源５ｆを稼働させて光源５ｆからの光をプリント済み原稿３０に照射しつつ、スキャナー部５ｃがスキャンを実行するように制御する。スキャナー部５ｃは、矢印Ａ方向に移動しつつ、プリント済み原稿３０を読み取って画像データに変換する。
【００３７】
次いで、図３のケースを説明する。読取り対象であるモバイル端末４０のディスプレイは光を放射しているから、光センサー５ｅは光の放射を検出していることを示す信号を制御装置２０へ出力する。そうすると、制御装置２０は、光源５ｆを稼働させずにスキャナー部５ｃがスキャンを実行するように制御する。スキャナー部５ｃは、矢印Ａ方向に移動しつつ、モバイル端末４０のディスプレイを読み取って画像データに変換する。光源５ｆが稼働しないことによって、光源５ｆからの光とモバイル端末４０のディスプレイからの光との干渉等によるフレアの発生が抑制される。
【００３８】
４．制御装置
図４を参照して、複合機１が備える制御装置２０について説明する。図４は、制御装置２０とその関連要素との電気的構造を示すブロック図である。概略的には、制御装置２０は、複合機１の各部と電気的に接続し、複合機１の機能、例えば、画像読取り装置５における読取り動作および画像形成部１２等による画像形成動作を制御する。
【００３９】
図４に示すように、制御装置２０は、ＣＰＵ（Central Processing Unit）２１と、ＲＯＭ（Read Only Memory）、ＲＡＭ（Random Access Memory）、フラッシュメモリー等の記憶装置で構成されたメモリー２２と、要素間の信号伝送に用いられるバス２３と、複合機１の各部との接点となるインターフェイス２４と、通信ネットワークＣＮとの接点となるネットワーク（Ｎ／Ｗ）アダプター２５と、を含む。
【００４０】
ＣＰＵ２１は、メモリー２２に記憶された制御プログラムおよび制御用データに基づいて演算処理を実行する。メモリー２２は、ＣＰＵ２１による演算処理（画像形成制御）に用いる制御プログラムや制御データ等を記憶する。また、メモリー２２は、ＣＰＵ２１の演算結果等を一時的に記憶する。
【００４１】
バス２３は、ＣＰＵ２１、メモリー２２、インターフェイス２４、およびＮ／Ｗアダプター２５を相互に接続している。インターフェイス２４には、複合機１の各部（例えば、画像読取り装置５、原稿搬送部６、露光装置１１、画像形成部１２等）が電気的に接続されている。Ｎ／Ｗアダプター２５は通信ネットワークＣＮに接続されている。本実施形態のネットワーク構成については後述する。
【００４２】
５．ネットワーク構成
図５を参照して、本実施形態のネットワーク構成について説明する。本実施形態の画像形成システムＳは、複合機１と、通信ネットワークＣＮと、管理サーバーＭＳと、を備える。複合機１は、例えば、コンビニエンスストアに設置され、ユーザーが有償で使用するプリント端末機である。管理サーバーＭＳは、複合機１への情報提示や課金等を管理するサーバー装置であり、例えば、コンビニエンスストア本部によって運用されている。通信ネットワークＣＮは、例えば、広域をカバーする閉じたネットワーク（企業内ネットワーク）であり、例えば、ＷＡＮ（Wide Area Network）やＶＰＮ（Virtual Private Network）によって構築されている。
【００４３】
通信ネットワークＣＮは、不図示のゲートウェイサーバーを介してインターネットＩＮに接続されており、インターネットＩＮには、種々のサービスを提供する複数のアプリケーションサーバーＡＰが接続されている。以下では、ウェブ情報（例えば、飲食店のクーポン券）をユーザーに提供するアプリケーションサーバーＡＰを例として説明する。ウェブ情報は、モバイル端末４０のディスプレイに表示可能かつ複合機１にてプリント可能な情報（データ）であって、例えば、ＨＴＭＬやＸＭＬ等のマークアップ言語によって記述される。
【００４４】
上記した通信ネットワークＣＮおよびインターネットＩＮは、所定の通信規約、例えばＴＣＰ／ＩＰプロトコルスイートに準拠しており、各ノード（複合機１、管理サーバーＭＳ、アプリケーションサーバーＡＰ等）にはＩＰアドレス等の識別子が割り当てられている。複合機１は、通信ネットワークＣＮを介してインターネットＩＮに接続することが可能である。なお、モバイル端末４０は、基地局や交換局等を含むセルラーネットワークや公衆無線ＬＡＮ（いずれも不図示）等を介して、インターネットＩＮに接続可能である。
【００４５】
また、インターネットＩＮに接続されているアプリケーションサーバーＡＰには、インターネットＩＮ上の所在を一意に示す所在情報であるＵＲＬ（Uniform Resource Locator）が割り振られている。ＩＰアドレスとＵＲＬは、一意に対応している。
【００４６】
６．モバイル端末のディスプレイに表示された情報のプリント処理
次いで、本実施形態のプリント処理について説明する。概略的には、インターネットＩＮ上のウェブ情報が表示されたモバイル端末４０のディスプレイを複合機１にてプリントする際に、ディスプレイ上の画像データに後述のコマンド情報が含まれる場合、その画像データの変換元であるウェブ情報を用いて画像形成を実行する。詳細には以下の通りである。
【００４７】
図６は、本実施形態のプリント処理のシーケンス図である。ユーザーは、モバイル端末４０を操作して、インターネットＩＮ経由でアプリケーションサーバーＡＰにアクセスし（ステップＳ１００）、ウェブ情報を取得してディスプレイに表示させ（ステップＳ１０２）、閲覧する。
【００４８】
本例のウェブ情報には、コマンド情報の一例である２次元コード（ＱＲコード（登録商標））が含まれている。したがって、モバイル端末４０のディスプレイには、クーポン情報等に加えて、コマンド情報を示す２次元コードが表示されている。コマンド情報は、インターネットＩＮ上のウェブ情報をプリントすべき旨を示すものである。図７に、２次元コードの例を示す。この２次元コードには、以下の文字列がコードされている。
netprint=on&url=http://www.thisisadummy.com/
【００４９】
すなわち、２次元コードは、ウェブ情報のＵＲＬ（url=http://www.thisisadummy.com/）と、ディスプレイの画面自体ではなく、表示されている画面データの起源であるウェブ情報をインターネットＩＮから取得して複合機１でプリントすることを指示する指示フラグ（netprint=on）と、を含んでいる。
【００５０】
なお、上記のウェブ情報に対応した２次元コードは、アプリケーションサーバーＡＰが提供するウェブ情報に当初から含まれていてもよいし、モバイル端末４０からのアクセスが生じたときにアプリケーションサーバーＡＰが２次元コードを生成して添付してもよいし、アプリケーションサーバーＡＰからウェブ情報を取得したモバイル端末４０が自ら生成してもよい。
【００５１】
次いで、ユーザーは、モバイル端末４０のディスプレイに表示されたウェブ情報をプリントするために、ディスプレイ側を下にして（すなわち、表示画面を読取り面５ｂに向けて）、モバイル端末４０を画像読取り装置５に載置する（ステップＳ１０４）。
【００５２】
ユーザーが、複合機１の操作表示ユニット７を操作してモバイル端末４０のプリント処理（コピー処理）を開始すると（ステップＳ１０６）、図３を参照して前述したように、制御装置２０は、光源５ｆを稼働させずにスキャナー部５ｃにスキャンを実行させる（ステップＳ１０８）。スキャナー部５ｃは、モバイル端末４０のディスプレイに表示されているウェブ情報の画像データへの変換を開始する。
【００５３】
制御装置２０は、スキャンして得られた画像データに２次元コードが含まれることを検知すると、その２次元コードを解析してコマンド情報（指示フラグおよびＵＲＬ）を取得する（ステップＳ１１０）。
【００５４】
次いで、制御装置２０は、解析して得られたコマンド情報に指示フラグ（netprint=on）が含まれることを検知すると（ステップＳ１１２：ＹＥＳ）、インターネットＩＮを介してコマンド情報に含まれるＵＲＬに対応したアプリケーションサーバーＡＰからウェブ情報を取得する（ステップＳ１１４，Ｓ１１６）。そして、制御装置２０は、スキャンして得られた画像データの変換元であるウェブ情報を用いて画像形成を実行するように、画像形成部１２を制御する（ステップＳ１１８）。
【００５５】
一方で、制御装置２０は、解析して得られたコマンド情報に指示フラグが含まれないことを検知すると（ステップＳ１１２：ＮＯ）、スキャンして得られた画像データ自体を用いて画像形成を実行するように、画像形成部１２を制御する（ステップＳ１２０）。
【００５６】
上記したように、制御装置２０は、インターネットＩＮ上のウェブ情報をプリントすべき旨を示すコマンド情報（指示フラグ）が画像データに含まれる場合、画像データの変換元であるウェブ情報を用いて画像形成を実行するように画像形成部１２を制御する。
【００５７】
７．本実施形態の技術的効果
上記したように、本実施形態の複合機１は、インターネットＩＮに接続してウェブ情報を取得可能であるモバイル端末４０のディスプレイが載置される読取り面５ｂと、読取り面５ｂに載置されたディスプレイをスキャンして画像データに変換するスキャナー部５ｃと、スキャナー部５ｃが取得した画像データに基づいて、記録媒体に対する画像形成を実行する画像形成部１２と、画像形成部１２の画像形成を制御する制御装置２０と、を備え、制御装置２０は、インターネットＩＮ上のウェブ情報をプリントすべき旨を示すコマンド情報が画像データに含まれる場合、画像データの変換元であるウェブ情報を用いて画像形成を実行するように画像形成部１２を制御する。
【００５８】
以上の構成によれば、簡易な構成で、モバイル端末４０に表示されたウェブ情報をインターネットＩＮから取得した上で画像形成（プリント）が実行されるので、モバイル端末４０や複合機１の操作に不慣れなユーザーにとっての利便性が向上する。つまり、ユーザーは、モバイル端末４０のディスプレイをコピーするような直感的な操作により、結果として（すなわち、ユーザーが意識せずとも）、ディスプレイに表示されている情報をインターネットＩＮから取得してプリントすることが可能となる。また、ウェブ情報がプリントされるので、モバイル端末４０の電池切れに影響されることなくウェブ情報が活用可能となる他、プリントされた媒体をユーザーが知人等に引き渡すことも可能となるので、ユーザーにとっての利便性が向上する。
【００５９】
また、ウェブ情報に対応したコマンド情報が、ウェブ情報を表示したディスプレイに２次元コードとして表示されており、かつ、ウェブ情報のインターネットＩＮ上の所在を一意に示す所在情報（ＵＲＬ）と、ウェブ情報をインターネットＩＮから取得してプリントすることを指示する指示フラグとを含む構成によれば、省スペースな２次元コードを用いることによって、狭隘なモバイル端末４０のディスプレイにも確実にコマンド情報を含めることが可能となる。
【００６０】
また、制御装置２０が、画像データに２次元コードが含まれることを検知すると、２次元コードを解析してコマンド情報を取得し、コマンド情報に指示フラグが含まれることを検知すると、インターネットＩＮを介してウェブ情報を取得し、取得したウェブ情報を用いて画像形成を実行するように画像形成部１２を制御する一方、コマンド情報に指示フラグが含まれないことを検知すると、画像データ自体を用いて画像形成を実行するように画像形成部１２を制御する構成によれば、コマンド情報に指示フラグが含まれるときに限ってインターネットＩＮ経由のウェブ情報取得を実行するので、一般的な２次元コードが画像データに含まれている場合の誤動作を防止することが可能である。
【００６１】
また、複合機１が、スキャナー部５ｃにおける読取り対象のスキャンに用いる光源５ｆと、読取り対象から光が放射されているか否かを検出する光センサー５ｅと、を備え、制御装置２０が、光センサー５ｅが光の放射を検出していない場合は、光源５ｆを稼働させてスキャナー部５ｃがスキャンを実行するように制御し、光センサー５ｅが光の放射を検出している場合は、光源５ｆを稼働させずにスキャナー部５ｃがスキャンを実行するように制御する構成によれば、光を放射するモバイル端末４０のディスプレイをスキャンする際には光源５ｆの稼働が抑止されるので、フレア等の発生無く精度良くディスプレイを読み取ることが可能となる。
【００６２】
本実施形態の画像形成プログラムは、インターネットＩＮに接続してウェブ情報を取得可能であるモバイル端末４０のディスプレイをスキャンして画像データに変換するスキャナー部５ｃと、スキャナー部５ｃが取得した画像データに基づいて、記録媒体に対する画像形成を実行する画像形成部１２と、を備えた複合機１の制御に用いる画像形成プログラムであって、インターネットＩＮ上のウェブ情報をプリントすべき旨を示すコマンド情報が画像データに含まれる場合、画像データの変換元であるウェブ情報を用いて画像形成部１２が画像形成を実行するように、複合機１が備えたＣＰＵ２１（コンピューター）を機能させる。上記した機能が画像形成プログラムとして提供されることによって、当初は上記の機能を有さない複合機１に対して機能を追加することが可能となる。
【００６３】
８．変形例
上記した実施形態は多様に変形される。以下に実施形態の変形例を示す。実施形態および変形例から任意に選択された２以上の態様は、相互に矛盾しない限り適宜に併合することが可能である。
【００６４】
上記した実施形態では、複合機１が通信ネットワークＣＮおよびインターネットＩＮを介してアプリケーションサーバーＡＰにアクセスしている。この形態の変形例として、複合機１が、管理サーバーＭＳの管理の下、管理サーバーＭＳ経由でアプリケーションサーバーＡＰにアクセスする構成も採用可能である。本変形例において、アプリケーションサーバーＡＰから取得されたウェブ情報に、管理サーバーＭＳがコマンド情報を付与して複合機１に提供してもよい。以上の構成によれば、複合機１によるインターネットＩＮへのアクセスを統合的に管理することが可能となる。
【００６５】
上記した実施形態では、複合機１が、コマンド情報に含まれる所在情報に基づいてウェブ情報を取得している。この形態の変形例として、複合機１が、所在情報に基づいたウェブ情報に加えて、ウェブ情報に関連する付加情報をさらに取得して、画像形成の対象としてもよい。例えば、複合機１（制御装置２０）が、ウェブ情報に含まれる住所情報やスポット情報（店名等）に基づいて、そのウェブ情報に関連する地図情報を取得して、ウェブ情報と共に地図情報をプリントする構成も採用可能である。以上の構成によれば、ウェブ情報に関連する付加情報が自動的に取得されてユーザーに提供されるので、ユーザーにとっての利便性が向上する。
【００６６】
上記した実施形態では、画像形成装置の一例である複合機１や複合機１を含む画像形成システムＳに本発明の構成を適用する場合について説明したが、他の異なる実施形態では、プリンター、複写機、ファクシミリ等の他の画像形成装置や、このような他の画像形成装置を備える他の画像形成システムに本発明の構成を適用してもよい。
【００６７】
なお、上記した実施形態の説明は、本発明に係る画像形成装置１における好適な実施の形態を説明しているため、技術的に好ましい種々の限定を付している場合もあるが、本発明の技術的範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００６８】
１    複合機（画像形成装置）
５    画像読取り装置
５ｂ  読取り面
５ｃ  スキャナー部
５ｅ  光センサー
５ｆ  光源
１２  画像形成部
２０  制御装置
２１  ＣＰＵ
４０  モバイル端末
ＩＮ  インターネット
【図１】
2019212973.tif 000003
【図２】
2019212973.tif 000004
【図３】
2019212973.tif 000005
【図４】
2019212973.tif 000006
【図５】
2019212973.tif 000007
【図６】
2019212973.tif 000008
【図７】
2019212973.tif 000009